(57)【要約】      （修正有）【課題】工場から建築現場への搬送、建築後の他の移築場所への搬送等を容易にできると共に、その建築又は移築に際しての組み立て、分解を容易にできる組み立て家屋を提供する。【解決手段】複数の部分ユニット３をその一側面で結合して組み立てる組み立て家屋であって、一体構造の金属製骨格体に屋根５、床材６及び壁材７，８が装着され且つ結合側に開口部９が設けられた部分ユニット３と、金属製骨格体の支柱１０，１１に固設され且つ屋根５から上側に突出する複数の吊り具１２，１３と、隣接する部分ユニット３の金属製骨格体同士を開口部９側で着脱自在に結合する結合手段１４，１５等とを備えている。【選択図】図４
0003175215.tif 000002
【実用新案登録請求の範囲】
【請求項１】
複数の部分ユニット（３）をその一側面で結合して組み立てる組み立て家屋において、
一体構造の金属製骨格体（４）に屋根（５）、床材（６）及び壁材（７）（８）が装着され且つ結合側に開口部（９）が設けられた前記部分ユニット（３）と、
前記金属製骨格体（４）の支柱（１０）（１１）に固設され且つ前記屋根（５）から上側に突出する複数の吊り具（１２）（１３）と、
隣接する前記部分ユニット（３）の前記金属製骨格体（４）同士を開口部（９）側で着脱自在に結合する結合手段（１４）〜（１６）とを備えたことを特徴とする組み立て家屋。
【請求項２】
前記金属製骨格体（４）の前記開口部（９）側が前記屋根（５）、前記床材（６）及び前記壁材（７）（８）の端縁よりも相手側に突出する一対の前記部分ユニット（３）を備え、
該両部分ユニット（３）の前記屋根（５）に跨がってその棟の略全長に着脱自在に装着された笠木材（１９）と、
前記両部分ユニット（３）の前記床材（６）間に着脱自在に装着され且つ前記金属製骨格体（４）の突出部分を覆う中間床材（２０）と、
前記両部分ユニット（３）の前記壁材（７）（８）に跨がって着脱自在に装着され且つ前記金属製骨格体（４）の突出部分を覆う化粧柱（２１）（２２）とを備えたことを特徴とする請求項１に記載の組み立て家屋。
【請求項３】
前記両部分ユニット（３）の前記金属製骨格体（４）の屋根枠体（２４）側を結合する横方向に１又は複数の上部結合手段（１４）と、
前記金属製骨格体（４）の床枠体（２３）側を結合する１又は複数の下部結合手段（１５）と、
前記金属製骨格体（４）の支柱（１０）（１１）側を結合する１又は複数の側部結合手段（１６）とを夫々設け、
前記上部結合手段（１４）を一方の構成部材（３５）に対して他方の構成部材（７２）及び／又は屋根枠体（２４）が上下方向に嵌脱自在に嵌合する嵌合型とし、前記下部結合手段（１５）及び／又は前記側部結合手段（１６）を一方の構成部材に対して他方の構成部材が上下又は水平方向に対向する対向型としたことを特徴とする請求項１又は２に記載の組み立て家屋。
【請求項４】
前記支柱（１０）（１１）の内外両側に内壁材（７）、外壁材（８）を装着し、一方の前記金属製骨格体（４）の前記開口部（９）側の前記支柱（１１）に、その前記内壁材（７）からの突出部分の内側に内固定手段（６６）を設け、他方の前記金属製骨格体（４）の前記開口部（９）側の前記支柱（１１）に、その前記外壁材（８）からの突出部分の外側に外固定手段（６７）と前記側部結合手段（１６）とを設け、前記支柱（１１）を内側から覆う内化粧柱（２１）を前記内固定手段（６６）により前記両部分ユニット（３）の前記両内壁材（７）に跨がって着脱自在に固定し、前記支柱（１１）及び前記側部結合手段（１６）を外側から覆う外化粧柱（２２）を前記外固定手段（６７）により前記両部分ユニット（３）の前記両外壁材（８）に跨がって着脱自在に固定したことを特徴とする請求項３に記載の組み立て家屋。
【請求項５】
前記屋根（５）はその略全体にわたる金属シート（４５）と、
該金属シート（４５）の下側に設けられた防水シート（４６）と、
前記金属シート（４５）の下側に横方向に所定間隔をおいて配置された複数の垂木（４７）と、
前記金属シート（４５）の上側に配置された屋根板（５３）とを備え、
前記金属シート（４５）は前記各垂木（４７）に上側から嵌合する複数の凹部（４８）と、
該凹部（４８）間に形成された複数の溝部（４９）とを備えたことを特徴とする請求項１〜４の何れかに記載の組み立て家屋。
【請求項６】
前記金属製骨格体（４）は略水平に配置された矩形状の床枠体（２３）と、
傾斜状に配置された矩形状の屋根枠体（２４）と、
前記床枠体（２３）及び前記屋根枠体（２４）をその少なくとも四隅で上下に連結する前記支柱（１０）（１１）と、
短い前記支柱（１０）の上端側と隣接する長い前記支柱（１１）とを略水平方向に連結する側枠材（２５）と、
前記開口部（９）の両側の長い前記支柱（１１）を前記側枠材（２５）と略同高さ位置又は前記側枠材（２５）よりも高い位置で略水平方向に連結する鴨居枠材（２６）とを含み、
前記吊り具（１２）（１３）を前記支柱（１０）（１１）の外側面に固着し、前記屋根枠体（２４）の棟側の横枠材（２９）と前記鴨居枠材（２６）との間に、前記金属製骨格体（４）の前記開口部（９）側を補強する複数の補強材（３３）（３４）を設けたことを特徴とする請求項１〜５の何れかに記載の組み立て家屋。
【考案の詳細な説明】
【技術分野】
【０００１】
本考案は、建設現場事務所、バンガロー、別荘その他に使用する可搬式の組み立て家屋に関する。
【背景技術】
【０００２】
別荘、その他の目的で使用する組み立て家屋には、従来、例えば特許文献１に記載のようなものがある。この組み立て家屋は、全体を１階部分ユニットと屋根ユニットとその他の部材とに分割すると共に、１階部分ユニットを木造構造の２個の部分ユニットに分割する。そして、２個の部分ユニットの内装、設備機器類の他、室内のインテリア、家具、電化製品までを含めて、１階部分ユニット、屋根ユニット等の夫々を工場生産により予め製作しておく。
【０００３】
建築時の施工に際しては、１階部分ユニットを構成する２個の部分ユニット、屋根ユニット等の夫々をトラック等により建築現場に搬入し、建築現場の基礎上に２個の部分ユニットを据え付けて結合することにより１階部分ユニットを組み立て、この１階部分ユニットの上に屋根ユニットを取り付けた後、その他の部材を取り付けて１個の家屋を仕上げる。
【０００４】
この組み立て家屋は、１階部分ユニットを構成する２個の部分ユニットをその内装、設備機器類の他、室内のインテリア、家具、電化製品までを含めて構成しておくため、建築現場で１階部分ユニットの２個の部分ユニットを結合し、その上に屋根ユニットを取り付ければ良く、組み立て後の内装、設備機器類の施工、更にはその後のインテリア、家具、電化製品等の施工が不要になるという利点がある。
【先行技術文献】
【特許文献】
【０００５】
【特許文献１】特開２００２−２４２３０９号公報
【考案の概要】
【考案が解決しようとする課題】
【０００６】
しかしながら、従来の組み立て家屋は、特定の建築現場の基礎上に据え付けて建築すれば、その場所で半永久的に使用することを前提としたものであって、その後に他の場所に移築するようにはなっていない。
【０００７】
また従来の１階部分ユニットは、各部分ユニットに必要な全ての機器類等を組み込んでおり、各部分ユニットの重量が重たくなるにも拘わらず、主要構造材に木材を使用した木造構造であって、強度的に弱く、しかも吊り具等を備え難い構造であるため、仮に一旦建築した後に他の場所に移築するとしても、その移築が非常に困難である。
【０００８】
そこで、本考案が解決しようとする課題は、工場から建築現場への搬送、建築後の他の移築場所への搬送等を容易にできると共に、その建築又は移築に際しての組み立て、分解を容易にできる組み立て家屋を提供することである。
【課題を解決するための手段】
【０００９】
本考案は、複数の部分ユニット３をその一側面で結合して組み立てる組み立て家屋において、一体構造の金属製骨格体４に屋根５、床材６及び壁材７，８が装着され且つ結合側に開口部９が設けられた前記部分ユニット３と、前記金属製骨格体４の支柱１０，１１に固設され且つ前記屋根５から上側に突出する複数の吊り具１２，１３と、隣接する前記部分ユニット３の前記金属製骨格体４同士を開口部９側で着脱自在に結合する結合手段１４〜１６とを備えたものである。
【００１０】
この組み立て家屋は、前記金属製骨格体４の前記開口部９側が前記屋根５、前記床材６及び前記壁材７，８の端縁よりも相手側に突出する一対の前記部分ユニット３を備え、該両部分ユニット３の前記屋根５に跨がってその棟の略全長に着脱自在に装着された笠木材１９と、前記両部分ユニット３の前記床材６間に着脱自在に装着され且つ前記金属製骨格体４の突出部分を覆う中間床材２０と、前記両部分ユニット３の前記壁材７，８に跨がって着脱自在に装着され且つ前記金属製骨格体４の突出部分を覆う化粧柱２１，２２とを備えたものでも良い。
【００１１】
また前記両部分ユニット３の前記金属製骨格体４の屋根枠体２４側を結合する横方向に１又は複数の上部結合手段１４と、前記金属製骨格体４の床枠体２３側を結合する１又は複数の下部結合手段１５と、前記金属製骨格体４の支柱１０，１１側を結合する１又は複数の側部結合手段１６とを夫々設け、前記上部結合手段１４を一方の構成部材３５に対して他方の構成部材７２及び／又は屋根枠体２４が上下方向に嵌脱自在に嵌合する嵌合型とし、前記下部結合手段１５及び／又は前記側部結合手段１６を一方の構成部材に対して他方の構成部材が上下又は水平方向に対向する対向型とすることが望ましい。
【００１２】
更に前記支柱１０，１１の内外両側に内壁材７、外壁材８を装着し、一方の前記金属製骨格体４の前記開口部９側の前記支柱１１に、その前記内壁材７からの突出部分の内側に内固定手段６６を設け、他方の前記金属製骨格体４の前記開口部９側の前記支柱１１に、その前記外壁材８からの突出部分の外側に外固定手段６７と前記側部結合手段１６とを設け、前記支柱１１を内側から覆う内化粧柱２１を前記内固定手段６６により前記両部分ユニット３の前記両内壁材７に跨がって着脱自在に固定し、前記支柱１１及び前記側部結合手段１６を外側から覆う外化粧柱２２を前記外固定手段６７により前記両部分ユニット３の前記両外壁材８に跨がって着脱自在に固定しても良い。
【００１３】
前記屋根５はその略全体にわたる金属シート４５と、該金属シート４５の下側に設けられた防水シート４６と、前記金属シート４５の下側に横方向に所定間隔をおいて配置された複数の垂木４７と、前記金属シート４５の上側に配置された屋根板５３とを備え、前記金属シート４５は前記各垂木４７に上側から嵌合する複数の凹部４８と、該凹部４８間に形成された複数の溝部４９とを備えていることが望ましい。
【００１４】
また前記金属製骨格体４は略水平に配置された矩形状の床枠体２３と、傾斜状に配置された矩形状の屋根枠体２４と、前記床枠体２３及び前記屋根枠体２４をその少なくとも四隅で上下に連結する前記支柱１０，１１と、短い前記支柱１０の上端側と隣接する長い前記支柱１１とを略水平方向に連結する側枠材２５と、前記開口部９の両側の長い前記支柱１１を前記側枠材２５と略同高さ位置又は前記側枠材２５よりも高い位置で略水平方向に連結する鴨居枠材２６とを含み、前記吊り具１２，１３を前記支柱１０，１１の外側面に固着し、前記屋根枠体２４の棟側の横枠材２９と前記鴨居枠材２６との間に、前記金属製骨格体４の前記開口部９側を補強する複数の補強材３３，３４を設けることが望ましい。
【考案の効果】
【００１５】
本考案では、複数の部分ユニット３をその一側面で結合して組み立てる組み立て家屋において、一体構造の金属製骨格体４に屋根５、床材６及び壁材７，８が装着され且つ結合側に開口部９が設けられた部分ユニット３と、金属製骨格体４の支柱１０，１１に固設され且つ屋根５から上側に突出する複数の吊り具１２，１３と、隣接する部分ユニット３の金属製骨格体４同士を開口部９側で着脱自在に結合する結合手段１４〜１６とを備えているので、工場から建築現場への搬送、建築後の他の移築場所への搬送等を容易にできると共に、その建築又は移築に際しての組み立て、分解を容易にできる利点がある。
【図面の簡単な説明】
【００１６】
【図１】本考案の第１の実施形態を示す組み立て家屋の斜視図である。
【図２】本考案の第１の実施形態を示す組み立て家屋の一部破断平面図である。
【図３】本考案の第１の実施形態を示す金属製骨格体の斜視図である。
【図４】本考案の第１の実施形態を示す組み立て家屋の分解断面図である。
【図５】本考案の第１の実施形態を示す組み立て家屋の軒側の縦断面図である。
【図６】本考案の第１の実施形態を示す組み立て家屋の棟側の縦断面図である。
【図７】本考案の第１の実施形態を示す組み立て家屋の棟側の縦断面図である。
【図８】本考案の第１の実施形態を示す組み立て家屋の壁側の横断面図である。
【図９】本考案の第１の実施形態を示す組み立て家屋の下部側の一部破断正面図である。
【図１０】本考案の第１の実施形態を示す組み立て家屋の屋根側の斜視図である。
【図１１】本考案の第１の実施形態を示す組み立て家屋の屋根側の縦断面図である。
【図１２】本考案の第１の実施形態を示す組み立て家屋の壁側の分解断面図である。
【図１３】本考案の第１の実施形態を示す組み立て家屋の下部側の分解斜視図である。
【図１４】本考案の第１の実施形態を示す組み立て家屋の隅部の横断面図である。
【図１５】本考案の第１の実施形態を示す組み立て家屋の隅部の正面図である。
【図１６】本考案の第１の実施形態を示す組み立て家屋の組み立て時の説明図である。
【図１７】本考案の第２の実施形態を示す組み立て家屋の屋根側の縦断面図である。
【図１８】本考案の第３の実施形態を示す組み立て家屋の床側の縦断面図である。
【図１９】（Ａ）（Ｂ）は本考案の第４の実施形態を示す組み立て家屋の平面図である。
【図２０】（Ａ）は本考案の第５の実施形態を示す組み立て家屋の斜視図、（Ｂ）はその平面図である。
【図２１】本考案の第６の実施形態を示す吊り下げ状態の説明図である。
【考案を実施するための形態】
【００１７】
以下、本考案の実施形態を図面に基づいて詳述する。図１〜図１６は建築現場事務所、バンガロー、別荘その他に使用する可搬式の１室型の組み立て家屋の第１の実施形態を例示する。
【００１８】
この組み立て家屋１は、図１及び図２に示すように、例えば木製その他のデッキ等の基礎２上に２個（複数）の部分ユニット３を据え付けて、その両部分ユニット３を一側面で結合することにより組み立てられている。各部分ユニット３は、例えば図１６に示すようにトラックａの荷台等に積載して搬送できる程度の大きさであって、図３に示すように溶接等で一体化された一体構造の金属製骨格体４に、図４に示すように屋根５、床材６、内壁材７及び外壁材８が装着され、その一側の結合側に開口部９が構成されている。
【００１９】
また部分ユニット３は、金属製骨格体４の少なくとも四隅の支柱１０，１１に固設され且つ屋根５から上側に突出する吊り具１２，１３と、隣接する両部分ユニット３の金属製骨格体４同士を開口部９側で突き合わせた後に、その状態で金属製骨格体４の開口部９側同士を着脱自在に結合する上部結合手段１４、下部結合手段１５及び側部結合手段１６とを備えている。なお、部分ユニット３の一方又は両方に窓、出入口用のドアー１７，１８等が設けられている。
【００２０】
各部分ユニット３の金属製骨格体４の開口部９側は、図４に示すようにその開口部９側が屋根５、床材６、内壁材７及び外壁材８の開口部９側の端縁よりも相手側に突出している。そして、組み立て状態では、両部分ユニット３の屋根５に、その隙間を覆う笠木材１９が両棟に跨がって横方向の全長に着脱自在に装着され、また床材６間に金属製骨格体４の床側の突出部分を覆う中間床材２０が横方向の全長に着脱自在に装着され、更に壁材７，８間に金属製骨格体４の壁側の突出部分を内外両側から覆う化粧柱２１，２２が、両部分ユニット３の内外壁材７，８に跨がって上下方向の全長に着脱自在に装着されている。
【００２１】
笠木材１９は横方向の両端部が屋根５より若干突出する長さを有する丸太等の適宜木材により構成されている。この笠木材１９には、図６、図７に示すように、その下側の両端部を除く中間部分に各屋根５の棟側に対応する切欠き部１９ａが形成されている。そして、この笠木材１９は、その切欠き部１９ａが各部分ユニット３の屋根５上に当接するように、両屋根５に跨がって棟上に載置されている。
【００２２】
また笠木材１９には、各吊り具１３に対応する箇所に、その吊り具１３が下側から干渉しないように嵌合する凹部１９ｂが形成され、屋根５に載置したときに笠木材１９で吊り具１３を上側から覆うようになっている。なお、笠木材１９は屋根５上に載置するのみでも良いし、釘等の固定手段、又は銅線等の締結手段で屋根５に着脱自在に固定しても良い。
【００２３】
金属製骨格体４は、図３に示すように、略水平に配置され且つ基礎２上に設置された矩形状の床枠体２３と、屋根５の傾斜に沿って傾斜状に配置された矩形状の屋根枠体２４と、床枠体２３及び屋根枠体２４をその四隅で上下に連結する軒側の短い短支柱１０及び開口部９側（棟側）の長い長支柱１１と、短支柱１０の上端側と隣接する長支柱１１とを略水平方向に連結する側枠材２５と、開口部９の両側の長支柱１１を側枠材２５と略同高さで略水平方向に連結する鴨居枠材２６とを含み、金属製の角パイプ材等を溶接等により接合して構成されている。なお、鴨居枠材２６は側枠材２５よりも若干高い位置に配置しても良い。
【００２４】
床枠体２３は、内外両側（棟側及び開口部９側）に横方向に配置された一対の長い横枠材２７と、この一対の横枠材２７の長手方向（横方向）の両端間に縦方向に配置された一対の縦枠材２８とを溶接等により接合して矩形状に構成され、その四隅の上側に各支柱１０，１１の下端が溶接等により固定されている。
【００２５】
屋根枠体２４は、内外両側（棟側及び開口部９側）に横方向に配置された一対の横枠材２９と、一対の横枠材２９の長手方向（横方向）の両端部間に傾斜方向に配置された一対の傾斜枠材３０と、一対の傾斜枠材３０間で一対の横枠材２９間に跨がって配置された１個又は複数の傾斜枠材３１とを溶接等により接合して構成され、その四隅に各支柱１０，１１の上端が溶接等により固定されている。なお、各傾斜枠材３０，３１は横方向に略等間隔をおいて配置されている。両端の傾斜枠材３０は、短支柱１０側では側枠材２５の上側に溶接等で固定されている。
【００２６】
屋根枠体２４の開口部９側の横枠材２９と鴨居枠材２６との間には、その長手方向に所定間隔をおいて上下方向に配置された複数の上下補強材３３と、その上下補強材３３間又は上下補強材３３及び長支柱１１間に斜め方向に配置された複数の斜め補強材３４とが左右略対称に設けられ、これらの補強材３３，３４によって金属製骨格体４の開口部９側がその上部側で補強されている。
【００２７】
補強材３３，３４には棒鋼等が使用されており、その上下補強材３３は開口部９側の横枠材２９と鴨居枠材２６とに溶接され、また斜め補強材３４は横方向の中央側が下になるように隣接する一対の上下補強材３３間、隣接する上下補強材３３及び長支柱１１間に斜め方向に配置されている。なお、金属製骨格体４の開口部９側の補強は、上下補強材３３、斜め補強材３４による補強構造以外のものでしても良い。
【００２８】
上部結合手段１４は両金属製骨格体４の屋根枠体２４側を結合するためのもので、図７に示すように、一方の屋根枠体２４の横枠材２９の下側に固定され且つ他方の屋根枠体２４の横枠材２９が上側から上下方向に嵌脱自在に嵌合する嵌合受け具３５と、この嵌合受け具３５に螺合され且つ嵌合受け具３５に嵌合した他方の屋根枠体２４の横枠材２９を一方の横枠材２９側に押圧する押圧ボルト３６とを備えた嵌合型になっている。嵌合受け具３５は上部結合手段１４の構成部材であって、この嵌合受け具３５に他方の金属製骨格体４の屋根枠体２４の横枠材２９が嵌合するようになっている。
【００２９】
下部結合手段１５は両金属製骨格体４の床枠体２３側を結合するためのもので、図８、図９に示すように、他方の床枠体２３の開口部９側の横枠材２７の上側に固定され且つ一方の床枠体２３の開口部９側の横枠材２７の上側面に突出して横枠材２７に対し上下方向に対向する当接板３７と、この当接板３７から一方の床枠体２３の横枠材２７に対して着脱自在に螺合するタッピングネジ３８とを備えた対向型となっている。当接板３７は下部結合手段１５の構成部材であって、この当接板に他方の床枠体２３の横枠材２７が下側から対向するようになっている。
【００３０】
なお、上部結合手段１４、下部結合手段１５は横方向に所定の間隔をおいてその両端部近傍に２個（複数）設けられているが、横方向の中間に１個又は複数個追加しても良い。また上部結合手段１４は、横方向の略中央に１個設けても良い。
【００３１】
側部結合手段１６は両金属製骨格体４の支柱１１を結合するためのもので、図８、図９に示すように、両金属製骨格体４の長支柱１１における外壁材８からの突出部分に、側枠材２５及び床枠体２３の近傍に２個（複数）設けられている。この側部結合手段１６は、各長支柱１１から外側に突出し且つ縦方向（水平方向）に対向して当接又は近接する２個の固定板３９と、２個の固定板３９の挿通孔に縦方向に挿通されるボルト４０と、ボルト４０に螺合するナット４１とを備えた対向型となっている。なお、何れか一方の固定板３９に挿通孔に替えてネジ孔又はナットを設けても良い。また側部結合手段１６は１個でも良い。
【００３２】
下側の側部結合手段１６の上側又は下側の近傍には、図８、図９に示すように、一方の部分ユニット３を設置した後、それに合わせて他方の部分ユニット３の位置を調整するための位置調整手段４２が設けられている。この位置調整手段４２は両金属製骨格体４の長支柱１１における外壁材８からの突出部分から外側に突出し且つ縦方向に対向して当接又は近接する２個の調整板４３を備え、この両調整板４３の貫通孔にコッター等の挿通部材を縦方向に挿通することにより、側部結合手段１６の固定板３９相互の挿通孔を一致させるようになっている。なお、この各長支柱１１の調整板４３は、搬送時にロープ等を掛けて部分ユニット３をトラックａ等の荷台に固定するためにも利用可能である。
【００３３】
屋根５は金属製骨格体４の屋根枠体２４の上側に設けられており、図４〜図７、図１０、図１１に示すように、その略全体に設けられた薄鉄板等の金属シート４５と、金属シート４５の下側に設けられた防水シート４６と、横方向に所定間隔をおいて配置された複数の垂木４７と、金属シート４５の上側に配置された屋根板５３とを備え、金属シート４５は各垂木４７が下側から嵌合する複数の凹部４８と、隣接する垂木４７間に形成された排水用の複数の溝部４９とを備えている。
【００３４】
即ち、屋根５は、屋根枠体２４の傾斜枠材３０，３１上に傾斜方向に略等間隔をおいて横方向に配置された複数の横桟５０と、複数の横桟５０に跨がってその上に横方向に略隙間なく配置された天井兼用の傾斜方向の下地板５１と、下地板５１の上に略全体に張られた防水シート４６と、防水シート４６上に横方向に略等間隔をおいて傾斜方向に配置された複数の垂木４７と、垂木４７の上側に張られた金属シート４５と、金属シート４５上に傾斜方向に略等間隔をおいて横方向に配置された複数の横桟５２と、複数の横桟５２に跨がってその上に横方向に略隙間なく配置された複数の傾斜方向の屋根板５３と、各屋根板５３の継ぎ目部分を覆う断面半円状の複数の継ぎ目カバー５４等を備えている。
【００３５】
棟側と軒先側の横桟５０は、下地板５１と横枠材２９との間に隙間ができないように、横枠材２９に近接して配置されている。防水シート４６は、金属シート４５の下側であれば良く、金属シート４５に沿って垂木４７の上側に設けても良い。
【００３６】
屋根５の横方向の両端は屋根枠体２４から横方向に突出しており、また屋根板５３は屋根枠体２４から軒先側に突出し、その軒先の下側に端隠し材５５が横方向に取り付けられている。横桟５０は傾斜枠材３０，３１上に、下地板５１は横桟５０に、垂木４７は下地板５１を介して横桟５０に、横桟５２は垂木４７に、屋根板５３は横桟５２に、継ぎ目カバー５４は屋根板５３を介して横桟５２に夫々釘、タッピングネジ等により固定されている。
【００３７】
短支柱１０及び長支柱１１の外側面には、図５、図６に示すように吊り具１２，１３が溶接等で固着されると共に、屋根５の下地板５１、防水シート４６、金属シート４５、屋根板５３等を貫通して上側に突出している。この吊り具１２，１３は、部分ユニット３の搬送時にロープ等を掛け得る構造のものであれば十分であり、この実施形態では屋根５よりも上側に孔、切欠き等の引っ掛け部が形成された板材を使用しているが、その他にフック状のもの、逆Ｕ字状のもの等を使用することも可能である。なお、吊り具１２の屋根５の貫通部分はシール材によりシールされている。吊り具１３の屋根５の貫通部分は笠木材１９で覆われているが、シール材によりシールしても良い。
【００３８】
内壁材７、外壁材８は、図４、図１２〜図１５に示すように多数の水平方向（横方向及び縦方向）の帯板材により構成されている。そして、内壁材７は隙間ができないように上下方向に突き合わせて略連続状に多数配置され、各支柱１０，１１の側面に釘、タッピングネジ等で固定された桟材５６、隣接する支柱間で屋根枠体２４と床枠体２３との間に固定された上下方向の桟材５６ａに釘等で固定されている。また外壁材８は隙間ができないように順次鎧状に重ね合わせて略連続して多数配置され、内壁材７と同様に桟材５６等に釘等で固定されている。
【００３９】
各部分ユニット３の軒側の隅部には、図１２、図１４、図１５に示すようにその短支柱１０及び外壁材８の端部を覆う上下方向の隅化粧柱５７が、隣接する二辺の外壁材８の端部に跨がって設けられている。隅化粧柱５７には短支柱１０及び外壁材８の端部に対応する切欠き部５８が形成された丸太が使用され、この隅化粧柱５７はその切欠き部５８を短支柱１０及び外壁材８の端部に対応させた状態で、タッピングネジ５９又は釘により短支柱１０に、釘６０により外壁材８を介して桟材５６に夫々固定されている。
【００４０】
短支柱１０の下部側には、図１４、図１５に示すように外側に突出する固定用金具６１が固定され、また隅化粧柱５７に、その固定用金具６１を外側に挿通する孔６２が形成されている。固定金具６１は、部分ユニット３の搬送時にトラックａの荷台に固定する際、又は建築時に部分ユニット３をデッキ等に固定する際に、ロープ等の固定索６１ａを掛けるためのものである。
【００４１】
床材６は、横方向の多数の帯板材により構成されている。そして、床材６は図１２、図１３に示すように端面同士を突き合わせて略連続状に配置されており、各床材６は床枠体２３の一対の縦枠材２８間に、一対の横枠材２９に跨がって配置された縦方向の複数の桟材６２ｂ等に釘等で固定されている。
【００４２】
鴨居枠材２６の下側面には、図４、図７に示すように、鴨居枠材２６を覆う板材６３が釘等で取り付けられ、また鴨居枠材２６及び屋根枠体２４の開口部９側の横枠材２９の開口端と反対側には、鴨居枠材２６、横枠材２９及び長支柱１１等に固定された桟材６４ａ，６４ｂ等に、横方向の複数の板材６４を上下方向に突き合わせて釘等で固定されている。従って、鴨居枠材２６、横枠材２９及びその中間部分は、内部側に露出しないように板材６３，６４により覆われている。その他の金属製骨格体４の構成部分は、例えば図１２に屋根枠体２４の傾斜枠材３１を示すように板材６５により覆われており、室内外から見えないようになっている。屋根枠体２４の両端の傾斜枠材３０と側枠材２５との間には、その部分を塞ぐ合成樹脂製の透明板、半透明板等の閉塞板６８が装着されている。
【００４３】
各部分ユニット３の金属製骨格体４は、その開口部９側が床材６及び壁材７，８の開口部９側の端縁よりも相手側に突出しており、各部分ユニット３の金属製骨格体４の開口部９側の対向端面同士を突き合わせた状態でも、その各部分ユニット３の床材６間、内壁材７間、及び外壁材８間で床枠体２３の内側の横枠材２７、長支柱１１等の一部が露出している。
【００４４】
なお、金属製骨格体４の開口部９側の端縁は屋根５、床材６、内壁材７及び外壁材８の端縁よりも突出しているが、その屋根枠体２４の屋根５に対する突出量は、両部分ユニット３の組み立て時に相手側の金属製骨格体４が屋根５と干渉しない程度であって、他の部分の床材６、内壁材７及び外壁材８からの突出量に比較して小さくなっている。
【００４５】
中間床材２０は、両部分ユニット３を結合した後に、その両部分ユニット３の床材６間に嵌め込んで、床枠体２３の横枠材２７を上側から覆うためのものであり、この中間床材２０には、図８、図１３に示すように、下部結合手段１５に対応する切欠き部２０ａが形成されている。
【００４６】
内化粧柱２１及び外化粧柱２２は、両部分ユニット３を結合した後に、両部分ユニット３の内壁材７間、外壁材８間に夫々装着して長支柱１１を覆うためのものであって、図８、図１２、図１３に示すように、各金属製骨格体４の長支柱１１に対して固定手段６６，６７により着脱自在に固定されている。内固定手段６６と外固定手段６７は上下方向に所定間隔をおいて３個（複数）あり、２個の部分ユニット３の長支柱１１の夫々に分けて反対側に設けられている。
【００４７】
即ち、一方側の部分ユニット３の長支柱１１には、内壁材７から突出する突出部分の内側に内固定手段６６が、他方の部分ユニット３の長支柱１１には、外壁材８から突出する突出部分の外側に外固定手段６７が夫々設けられている。この各固定手段６６，６７は、長支柱１１の開口端側に固定されたボルト６６ａ，６７ａと、ボルト６６ａ，６７ａに螺合するナット６６ｂ，６７ｂとを備えている。
【００４８】
内化粧柱２１は、図８、図１２に示すように両部分ユニット３の床材６と鴨居枠材２６との間の長支柱１１を内側から覆い、内固定手段６６のボルト６６ａとナット６６ｂとにより両部分ユニット３の両内壁材７の端部に跨がって着脱自在に固定されている。外化粧柱２２は図８、図１２に示すように両部分ユニット３の屋根枠体２４と床枠体２３との間の長支柱１１、吊り具１２，１３の下部、側部結合手段１６、位置調整手段４２を外側から覆い、外固定手段６７のボルト６７ａとナット６７ｂとにより両部分ユニット３の両外壁材８の端部に跨がって着脱自在に固定されている。内化粧柱２１、外化粧柱２２は半割り状に形成された丸太等により構成され、ボルト６６ａ，６７ａ用の挿通孔２１ａ，２２ａが形成されている。
【００４９】
なお、床枠体２３、屋根枠体２４及び支柱１０，１１等の金属製骨格体４のほか、屋根５の金属シート４５、吊り具１２，１３、結合手段１４〜１６、固定手段６６，６７、位置調整手段４２、固定金具６１は金属製、閉塞板６８は合成樹脂製、継ぎ目カバー５４は竹製である。その他の各構成部材は木材からなり、またその木材には間伐材が使用されている。しかし、他の材料を使用しても良い。また内壁材７、外壁材８の横方向の中間、窓の両側、出入口の両側等の所要箇所には、半割り状の丸太等からなる化粧柱７０が内外に対応してタッピングネジ、釘等により固定されている。
【００５０】
上記構成の組み立て家屋１は、工場生産により部分ユニット３毎に製作しておく。そして、建築する際には、各部分ユニット３をトラック等により建築現場へと搬送して、その建築現場の基礎２上で２個の部分ユニット３を結合して組み立てる。
【００５１】
部分ユニット３をトラックａに積み込み、またトラックａから降ろして組み立てる場合には、図１６に示すように屋根５から突出する四隅の吊り具１２，１３にロープｂ等を掛けて、クレーンｃで吊る。このように屋根５から上側に突出する吊り具１２，１３を予め設けておくことにより、部分ユニット３の移動等を容易に行うことができる。また部分ユニット３は一体化された金属製骨格体４に屋根５、床材６、内壁材７、外壁材８等を装着しているので、屋根５、床材６、内壁材７、外壁材８が木造等であっても、金属製骨格体４の強度を確保できる。
【００５２】
しかも、金属製骨格体４の四隅に吊り具１２，１３を設けているため、部分ユニット３側の重量を金属製骨格体４を介して支持でき、部分ユニット３の歪み等を極力少なくできる。特に部分ユニット３は一側が開口部９により開口状になっているが、その開口部９側の上部を補強材３３，３４により補強しているので、金属製骨格体４の開口部９側の歪み等も少なくできる。
【００５３】
なお、部分ユニット３をトラックａの荷台上で固定する必要があれば、軒先側の一対の固定金具６１と、開口部９側の調整板４３とにロープを掛けて固定すれば良い。
【００５４】
建築現場で組み立てる場合には、次のように行う。図１６に示すように、先ず一方の部分ユニット３を基礎２上の所定位置に据え付ける。そして、次に他方の部分ユニット３を吊り下げた状態で、この他方の部分ユニット３の開口部９側を一方の部分ユニット３の開口部９側に合わせながら他方の部分ユニット３を徐々に降ろし、両部分ユニット３の金属製骨格体４の開口部９側の対向端面が突き合わさるように、他方の部分ユニット３を基礎２上に据え付ける。
【００５５】
この実施形態では、部分ユニット３には、上部結合手段１４を備えた一方の部分ユニット３と、下部結合手段１５を備えた他方の部分ユニット３との二種類がある。そこで、上部結合手段１４を備えた一方の部分ユニット３を先に基礎２上に据え付けておき、次にその一方の部分ユニット３に合わせて他方の部分ユニット３を据え付ける方法を採る必要がある。
【００５６】
他方の部分ユニット３の屋根枠体２４の横枠材２９を上部結合手段１４の嵌合受け具３５に嵌合させる場合には、他方の部分ユニット３をクレーンｃ等で吊り下げた状態で、その横方向の位置を一方の部分ユニット３に合わせた後、他方の部分ユニット３を一方の部分ユニット３側へと移動させて、両者の金属製骨格体４の対向端面側を近接又は当接させる。
【００５７】
この場合、屋根枠体２４の横枠材２９が嵌合受け具３５の若干上側となる高さに他方の部分ユニット３を保っておけば、この他方の部分ユニット３の接近によって、嵌合受け具３５が相対的に一方の部分ユニット３の横枠材２９の下側に入り、両金属製骨格体４の対向端面同士が近接又は当接したときに、嵌合受け具３５の上方に横枠材２９が位置する。なお、他方の部分ユニット３の板材６４が邪魔になる場合には、横枠材２９の近傍の１〜２枚程度の板材６４を取り外しておき、上部結合手段１４の結合後に板材６４を取り付けても良い。
【００５８】
次に金属製骨格体４同士が対向端面側で摺動するように、他方の部分ユニット３を徐々に降ろして行けば、一方の部分ユニット３の金属製骨格体４をガイドとして他方の部分ユニット３の横枠材２９を嵌合受け具３５に円滑に嵌合させながら、この他方の部分ユニット３を基礎２上の所定位置に据え付けることができる。
【００５９】
このようにして他方の部分ユニット３を据え付けると、両部分ユニット３の金属製骨格体４の対向端面同士が近接又は当接した状態となる。他方の部分ユニット３側にある下部結合手段１５の結合板は、一方の部分ユニット３の床枠体２３の横枠材２７上に上側から当接又は近接し、また側部結合手段１６の一対の固定板３９は縦方向に対向するため、その後に各結合手段１４〜１６により両部分ユニット３の金属製骨格体４同士を結合する。
【００６０】
上部結合手段１４、下部結合手段１５及び側部結合手段１６は、何れから結合しても良いが、両部分ユニット３が横方向に多少ずれておれば、両部分ユニット３の長支柱１１に固定された調整板４３の貫通孔にコッター等を挿入して、両部分ユニット３を横方向に相対的に移動させる。これによって両部分ユニット３の金属製骨格体４の開口部９側が一致するため、側部結合手段１６の固定板３９の挿通孔が一致し、その挿通孔にボルト４０を挿通し易くなる。
【００６１】
そして、横方向に２個の上部結合手段１４の押圧ボルト３６を締め付けると、屋根枠体２４の対向端面同士が、また上下に２個の側部結合手段１６のボルト４０を締め付けると、長支柱１１の対向端面同士が、更にその後に横方向に２個の下部結合手段１５のタッピングネジ３８を締め付けると、床枠体２３の対向端面同士が夫々当接して、その状態で両金属製骨格体４を結合できる。
【００６２】
その後、笠木材１９の切欠き部１９ａを両部分ユニット３の屋根５の棟側に合わせて、笠木材１９を両屋根５に跨がって棟側の継ぎ目部分に笠木材１９を載せ、笠木材１９により継ぎ目部分を覆う。これによって屋根５側を容易に仕上げることができ、屋根５の継ぎ目部分からの雨水等の浸入を確実に防止できる。また笠木材１９は長手方向の中間に切欠き部１９ａがあるので、その切欠き部１９ａの両側で屋根５の継ぎ目部分を横方向の両側から覆うことができる。
【００６３】
床側では両部分ユニット３の床材６間に中間床材２０を嵌め込んで、両床枠体２３の開口部９側の横枠材２７の突出部分を上側から覆い両床材６間の隙間を塞ぐように、その中間床材２０を釘等で横枠材２７等に固定する。このとき中間床材２０の切欠き部２０ａを下部結合手段１５に合わせて、中間床材２０が当接板３７上に乗らないようにして、中間床材２０を両側の床材６と略面一状にする。
【００６４】
内壁側では一方の部分ユニット３側の長支柱１１にある内固定手段６６のボルト６６ａを内化粧柱２１の挿通孔２１ａに通して、両部分ユニット３の長支柱１１、内壁材７の端縁側を内側から覆うように、内化粧柱２１を両部分ユニット３の内壁材７の端縁に跨がって当接し、ボルト６６ａに螺合するナット６６ｂを締め付けて内化粧柱２１を固定する。また外壁側でも、他方の部分ユニット３側の外固定手段６７のボルト６７ａを利用して、同様に両部分ユニット３の長支柱１１、外壁材８の端縁側を外側から覆うように、外化粧柱２２を固定する。
【００６５】
これによって両部分ユニット３の結合部分の内外両側に化粧柱２１，２２を設けることによって、壁面側の結合部分の仕舞いが容易であると共に、その結合部分にあたかも柱があるかのように仕上げることができる。また内外両側の固定手段６６，６７として、長支柱１１にボルト６６ａ，６７ａを固定しているが、両部分ユニット３の内、その一方の固定手段６６のボルト６６ａを一方の長支柱１１に、他方の固定手段６７の６７ａボルトを他方の長支柱１１に夫々設けているので、夫々の化粧柱２１，２２が相手側の部分ユニット３の壁材を互いに押圧し合う構造となり、化粧柱２１，２２と壁材７，８との間の隙間の発生等を極力防止できる。
【００６６】
これによって１個の家屋１の組み立てが終了する。建築後に家屋１を別の場所に移築する場合には、逆の手順で２個の部分ユニット３とその他の笠木材１９、中間床材２０、内化粧柱２１、外化粧柱２２とに分解し、それらを別の場所まで搬送して再度組み立てれば良い。この場合の組み立て、分解等も容易にでき、しかも各部分ユニット３には吊り具１２，１３があるため、クレーンｃ等で吊り上げてトラックａ等に容易に積み込むことができる。
【００６７】
この実施形態では、屋根５、床材６、壁材７，８等に間伐材を使用し、笠木材１９に丸太を、化粧柱２１，２２に丸太の半割り材を夫々使用しているため、家屋１全体をログハウス調又はそれに近い状態に仕上げることができる。また床枠体２３、屋根枠体２４、支柱１０，１１、側枠材２５、鴨居枠材２６等を溶接等で一体化して金属製骨格体４を構成し、この金属製骨格体４に木造構造の屋根５、床材６、壁材７，８等を装着しているため、部分ユニット３全体を軽量化できると共に、その金属製骨格体４の補強効果によって部分ユニット３全体の強度を容易に確保でき、建築現場への搬送等を容易に行うことができる。
【００６８】
屋根５は天井板兼用の下地板５１の上側に垂木４７、防水シート４６、金属シート４５、横桟５０，５２、屋根板５３等で構成しているため、主として木造構造であるにも拘わらず、それらによって防水性、断熱性を確保できる。特に雨水の多くは屋根板５３上を流れるが、この屋根板５３の下側には、下側から垂木４７が嵌合する凹部４８と、この凹部４８間に形成された溝部４９とを有する金属シート４５があり、屋根板５３を通過した雨水を金属シート４５の溝部４９を経て速やかに排水することができる。また屋根板５３の下側には、金属シート４５の溝部４９によって形成された通気空間があるため、その腐食等も極力防止でき耐久性が向上する。
【００６９】
図１７は本考案の第２の実施形態を例示する。この実施形態では、上部結合手段１４は、一方の部分ユニット３の屋根枠体２４側の横枠材２９の下側に固定され且つ嵌合孔７１ａを有する結合板７１と、他方の部分ユニット３の屋根枠体２４側の横枠材２９の下側に下向きに固定され且つ結合板７１の嵌合孔７１ａに上側から嵌脱自在に嵌合する突起７２とを備えた嵌合型となっている。突起７２は下側が細いテーパー状であって、嵌合孔７１ａに嵌合したときに、両部分ユニット３の金属製骨格体４の開口部９側の端面同士が略当接するようになっている。
【００７０】
この実施形態に例示するように上部結合手段１４には、一対の構成部材である結合板７１と突起７２との内、その一方の結合板７１の嵌合孔７１ａに、他方の突起７２を嵌合させるようにした構造のものを使用しても良い。勿論、この第１の実施形態、第２の実施形態に例示する構造以外のものを使用することも可能である。しかし、上部結合手段１４には組み立て時の作業性の点から嵌合型のものを使用することが望ましい。
【００７１】
図１８は本考案の第３の実施形態を例示する。この実施形態では、下部結合手段１５は、一方の部分ユニット３の床枠体２３側の横枠材２７の下側に固定され且つ嵌合部７３ａと案内部７３ｂとを有する下結合板７３を備え、その案内部７３ｂの下側に、基礎２に当接するストッパー部７３ｃが設けられている。
【００７２】
この実施形態に例示するように下結合手段１５に嵌合型のものを使用することも可能である。この場合には、案内部７３ｂで他方の部分ユニット３の床枠体２３の横枠部２７を嵌合部７３ａ側へと案内し、横枠材２７が嵌合部７３ａに嵌合したときに、両部分ユニット３の床枠体２３の対向端面が当接するようになっている。但し、上結合手段１４に嵌合型のものを使用する場合には、上下の結合手段１４，１５の内、一方、例えば上部結合手段１４側が先に嵌合するように構成しておくことが望ましい。
【００７３】
図１９（Ａ）（Ｂ）は本考案の第４の実施形態を例示する。図１９（Ａ）では、２個の部分ユニット３が食い違い状に配置されている。一方の部分ユニット３には結合側の横方向の一端側に、他方の部分ユニット３には結合側の横方向の他端側に夫々開口部９が設けられ、その開口部９同士が縦方向に対向するように両部分ユニット３が配置されている。両部分ユニット３の結合部分にはその内外に内化粧柱２１、外化粧柱２２が夫々設けられている。
【００７４】
図１９（Ｂ）では横方向の一端側が縦方向に略直線上となるように、横方向の長さが長い部分ユニット３の一端側に短い部分ユニット３が結合されている。長い部分ユニット３には、その結合側の横方向の一端側に開口部９が設けられ、また短い部分ユニット３には長い部分ユニット３の開口部９に対応して開口部９が設けられている。両部分ユニット３の結合部分にはその内外に内化粧柱２１、外化粧柱２２が夫々設けられている。
【００７５】
これらのように２個の部分ユニット３を組み合わせて１個の家屋１を建築する場合には、その部分ユニット３同士を食い違い状に配置しても良いし、横方向の長さの異なる２個の部分ユニット３を用い、その一方の部分ユニット３の横方向の一端側に、又は中央に他方の部分ユニット３を配置することも可能である。また各部分ユニット３は縦方向の長さが異なるものでも良い。
【００７６】
図２０（Ａ）（Ｂ）は本考案の第５の実施形態を例示する。この実施形態では３個の部分ユニット３を結合して１個の家屋１が構成されている。両側の部分ユニット３は第１の実施形態と同様に縦方向の内側に開口部９が設けられると共に、屋根５が片側に傾斜して設けられている。中間の部分ユニット３は縦方向の両側に開口部９が設けられ、また屋根５が横方向の中間の棟から横方向の両側に傾斜して設けられている。なお、両側の部分ユニット３には、その屋根５の棟に横方向の笠木材１９が、中間の部分ユニット３にはその棟に縦方向の笠木材１９が夫々設けられている。
【００７７】
このように３個の部分ユニット３を結合して１個の家屋１を構成することも可能である。この場合、中間の部分ユニット３の屋根５は、その両側の部分ユニット３の屋根５と同一方向に傾斜させて、その先端側を両側の部分ユニット３の屋根５に重ねることも考えられるが、中間の部分ユニット３の屋根５が高くなり過ぎて搬送が困難になる。従って、この実施形態に例示するように、中間の部分ユニット３の屋根５は両側に傾斜する切り妻式、又は片側に傾斜する片傾斜式にする等、両側の部分ユニット３の屋根５と異なる方向に傾斜させて、高さを両側の部分ユニット３の屋根５と略同じ程度にすることが望ましい。
【００７８】
図２１は本考案の第６の実施形態を例示する。この実施形態では両端にフックその他の係合具８０を有する横方向の吊り枠８１を使用し、その各係合具８０を部分ユニット３の吊り具１２，１３に引っ掛けて、吊り枠８１、吊り索８２を介してクレーンｃにより部分ユニット３を吊るようにしている。このように吊り枠８１を使用すれば、部分ユニット３にかかる曲げ力が小さくなり、部分ユニット３の歪み等を極力少なくできる。
【００７９】
以上、本考案の各実施形態を例示したが、本考案はこれらに限定されるものではない。例えば、複数の部分ユニット３を結合して１個の家屋１とするものであれば、その部分ユニット３の数は特に問題ではない。またその場合の各部分ユニット３は、同一又は略同一構造でも良いし、全く異なる構造のものでも良い。
【００８０】
部分ユニット３を据え付ける基礎２は、コンクリート製でも良いし、木材を組み合わせて構成されたデッキ等でも良い。工事現場の現場事務所等として使用する場合には、比較的短期間で他の場所に移築することになるため、地面に杭等を打ち込んで櫓等を組み、その上にフラットデッキを設けて据え付けることが望ましい。
【００８１】
第１の実施形態では、金属製骨格体４の開口部９側の鴨居枠材２６を側枠材２５と略同じ高さにしているが、側枠材２５よりも高くしても良い。複数の外壁材８を鎧状に順次重ねる場合には、化粧柱２２，５７の外壁材８に対応する部分は、各外壁材８の重なり形状に合わせて鋸歯状に形成しても良く、この場合には外壁材８と化粧柱２２，５７との間の隙間を極力少なくできる。部分ユニット３の四隅の支柱１０，１１の長さを略同じにして、屋根５をフラット状に構成しても良い。
【００８２】
上部結合手段１４はそれを構成する一対の構成部材の内、その一方の構成部材に対して他方の構成部材が上下方向に嵌脱自在に嵌合するようにしても良いし、実施形態に例示するように一方の構成部材に対して他方の屋根枠体２４が上下方向に嵌脱自在に嵌合するようにしても良い。下部結合手段１５はそれを構成する一対の構成部材の内、その一方の構成部材に対して他方の構成部材が上下方向に対向するようにしても良いし、一方の構成部材に対して他方の床枠体２３が上下方向に嵌脱自在に対向するようにしても良い。側部結合手段１６は実施形態に例示するように一対の構成部材が水平方向に対向するようにしても良いし、一方の構成部材に対して他方の支柱１１が水平方向に嵌脱自在に対向するようにしても良い。
【００８３】
金属製骨格体４の突出部分を覆う化粧柱２１，２２は、丸太の半割り材以外の材料、例えば厚手の板材を使用しても良い。隅化粧柱５７も同様である。内壁材７及び／又は外壁材８には合板、その他の板材を使用しても良い。別荘等に使用する家屋１でログハウス調に仕上げる場合には、半割り状の壁材をその円弧状の面が外側になるように使用すれば良い。内固定手段６６、外固定手段６７は支柱１１側にネジ孔、ナット等を設けておき、化粧柱２１，２２に挿通したボルトをそのネジ孔、ナット等に螺合するようにしても良い。
【符号の説明】
【００８４】
３    部分ユニット
４    金属骨格体
５    屋根
６    床材
７    内壁材
８    外壁材
９    開口部
１０，１１    支柱
１２，１３    吊り具
１４    上部結合手段
１５    下部結合手段
１６    側部結合手段
１９    笠木材
２０    中間床材
２１，２２    化粧柱
２３    床枠体
２４    屋根枠体
２５    側枠材
２６    鴨居枠材
２９    横枠材
３３    上下補強材
３４    斜め補強材
３５    嵌合受け具（構成部材）
４５    金属シート
４６    防水シート
４７    垂木
４８    凹部
４９    溝部
５３    屋根板
６６    内固定手段
６７    外固定手段
７２    突起（構成部材）
【図１】
0003175215.tif 000003
【図２】
0003175215.tif 000004
【図３】
0003175215.tif 000005
【図４】
0003175215.tif 000006
【図５】
0003175215.tif 000007
【図６】
0003175215.tif 000008
【図７】
0003175215.tif 000009
【図８】
0003175215.tif 000010
【図９】
0003175215.tif 000011
【図１０】
0003175215.tif 000012
【図１１】
0003175215.tif 000013
【図１２】
0003175215.tif 000014
【図１３】
0003175215.tif 000015
【図１４】
0003175215.tif 000016
【図１５】
0003175215.tif 000017
【図１６】
0003175215.tif 000018
【図１７】
0003175215.tif 000019
【図１８】
0003175215.tif 000020
【図１９】
0003175215.tif 000021
【図２０】
0003175215.tif 000022
【図２１】
0003175215.tif 000023